(57)【特許請求の範囲】
【請求項１】
複数の楽曲と各楽曲の記録位置を識別するための記録位置情報とが記録された記録媒体から楽曲を再生する順序を示す順序パターンを作成するパターン作成手段と、
前記パターン作成手段により作成された順序パターンが示す再生順序に従って前記記録媒体から楽曲を再生する再生手段とを備え、
前記パターン作成手段は、順序パターンが示す複数の再生順番のうちの少なくとも１つに対して、前記記録媒体に記録されている楽曲を、記録位置情報に基づいて複数指定する手段とともに、順序パターンが示す再生順番に対して楽曲を指定すると、当該再生順番に指定した楽曲からランダムに楽曲を選択する回数を設定するランダム設定手段を備え、
前記再生手段は、前記パターン作成手段により複数の楽曲が指定された再生順番において、指定された複数の楽曲を、記録位置情報に基づいた順序に従って再生する機能と、前記パターン作成手段により楽曲が指定された再生順番において、前記ランダム設定手段により設定された回数だけ、指定された楽曲からランダムに選択して再生する機能とを備える、
ことを特徴とする楽曲再生装置。
【請求項２】
前記パターン作成手段は、順序パターンが示す再生順番において最初に再生する楽曲の記録位置を識別するための記録位置情報と最後に再生する楽曲の記録位置を識別するための記録位置情報とを指定することにより、該再生順番に対して複数の楽曲を指定する、
ことを特徴とする請求項１に記載の楽曲再生装置。
【請求項３】
前記再生手段は、記録位置情報に基づいた順序に従って再生する機能として、前記パターン作成手段により複数の楽曲が指定された再生順番において、最初に再生する楽曲の記録位置を識別するための記録位置情報と最後に再生する楽曲の記録位置を識別するための記録位置情報のいずれが大きな値を示すかを判別し、最後に再生する楽曲の記録位置を識別するための記録位置情報が大きな値を示すと判別すると、該再生順番に対して指定された複数の楽曲を、記録位置情報が増加する順に再生し、最初に再生する楽曲の記録位置を識別するための記録位置情報が大きな値を示すと判別すると、該再生順番に対して指定された複数の楽曲を、記録位置情報が減少する順に再生する機能を備える、
ことを特徴とする請求項２に記載の楽曲再生装置。
【請求項４】
前記パターン作成手段は、順序パターンが示す再生順番に対して楽曲を指定すると、当該再生順番に指定した楽曲を繰り返し再生する回数を設定するリピート再生設定手段を備え、
前記再生手段は、前記パターン作成手段により楽曲が指定された再生順番において、前記リピート再生設定手段により設定された回数だけ、指定された楽曲を繰り返し再生する機能を備える、
ことを特徴とする請求項１、２又は３に記載の楽曲再生装置。
【請求項５】
記録媒体に複数の区画に分割して記録されている情報の再生順番を区画単位で示す順序パターンを作成するとともに、順序パターンが示す複数の再生順番のうちの少なくとも１つに対して、前記記録媒体の連続する複数の区画に記録されている情報を指定するパターン作成手段と、
前記パターン作成手段により作成された順序パターンが示す再生順序に従って前記記録媒体から情報を再生する再生手段と、
前記パターン作成手段により順序パターンが示す再生順番に対して連続する複数の区画に記録されている情報が指定されると、当該再生順番に指定された情報が記録されている複数の区画のうちからランダムに区画を選択する回数を設定するランダム設定手段とを備え、
前記再生手段は、前記記録媒体の連続する複数の区画に記録されている情報が指定された再生順番において、指定された情報を、前記記録媒体にて区画が連続する順序に従って再生する機能と、前記記録媒体の連続する複数の区画に記録されている情報が指定された再生順番において、指定された情報が記録された複数の区画のうちから前記ランダム設定手段により設定された回数だけランダムに区画を選択し、選択した区画に記録されている情報を再生する機能とを備える、
ことを特徴とする情報再生装置。
【請求項６】
記録媒体に複数の区画に分割して記録されている情報の再生順番を区画単位で示す順序パターンを作成するとともに、順序パターンが示す複数の再生順番のうちの少なくとも１つに対して、前記記録媒体の連続する複数の区画に記録されている情報を指定するパターン作成ステップと、
前記パターン作成ステップにて作成した順序パターンが示す再生順序に従って前記記録媒体から情報を再生する再生ステップと、
前記パターン作成ステップにて順序パターンが示す再生順番に対して連続する複数の区画に記録されている情報を指定すると、当該再生順番に指定した情報が記録されている複数の区画のうちからランダムに区画を選択する回数を設定するランダム設定ステップとを備え、
前記再生ステップは、前記記録媒体の連続する複数の区画に記録されている情報が指定された再生順番において、指定された情報を、前記記録媒体にて区画が連続する順序に従って再生する第１再生動作と、前記記録媒体の連続する複数の区画に記録されている情報が指定された再生順番において、指定された情報が記録された複数の区画のうちから前記ランダム設定ステップにて設定した回数だけランダムに区画を選択し、選択した区画に記録されている情報を再生する第２再生動作とを行う、
ことを特徴とする情報再生方法。
【発明の詳細な説明】
【０００１】
【発明の属する技術分野】
この発明は、記録媒体に記録された情報を指定された順序に従って再生する情報再生装置と情報再生方法に係り、特に、記録された情報の再生順序を容易に指定することができる情報再生装置と情報再生方法及びこれらを利用した楽曲再生装置に関する。
【０００２】
【従来の技術】
楽曲や映像といった情報をディジタル化して記録する記録媒体として、ＣＤ（Compact Disc）やＭＤ（Mini Disc）、ＣＤ−ＲＯＭ（CD-Read Only Memory）、ＤＶＤ（Digital Versatile Disc）、携帯型フラッシュメモリ等が知られている。
【０００３】
これらの記録媒体は、従来のカセットテープやビデオテープ等のテープ状記録媒体に比べ、所望の情報に迅速にアクセスすることができる。そこで、こうした記録媒体に記録されている情報を再生する情報再生装置には、ユーザが指定した順序に従って情報を再生することで、情報の柔軟な再生を可能とするものがある。
【０００４】
すなわち、例えば複数のディスク状記録媒体に記録されている情報を再生する際、このような情報再生装置は、ユーザのキー入力により、楽曲や映像等の情報を再生する順序を、ディスク番号や、トラック番号を指定して任意に設定することができる。
ここで、トラック番号は、記録媒体に記録されている１曲分の楽曲情報や所定の分量の映像情報に付された、情報を識別するための番号である。
【０００５】
そして、このような情報再生装置は、設定された再生順序を記憶しておき、ユーザがキー入力部等から情報の再生を指示すると、記憶している再生順序に従って記録媒体から情報を再生する。
【０００６】
【発明が解決しようとする課題】
上記従来の情報再生装置では、情報の再生順序を設定する際、トラック番号といった記録媒体に記録されている情報を識別するためのコードを、１つの再生順番に対して１つずつ指定して再生する順序を設定しなければならなかった。
【０００７】
このような従来の情報再生装置によると、同一の記録媒体に記録された複数の楽曲を、トラック番号が増加する順に再生させる場合にも、ユーザは、１曲毎にトラック番号を指定して再生順序を設定しなければならず、面倒であった。
また、例えば、同一の楽曲を複数回繰り返し再生（リピート再生）させる場合にも、ユーザは、その楽曲のトラック番号を、連続して再生させる回数分だけ入力して設定しなければならず、面倒であった。
【０００８】
この発明は、上記実状に鑑みてなされたものであり、簡単な設定により記録媒体に記録された情報の再生順序を設定することができ、情報の柔軟な再生を可能とする情報再生装置を提供することを目的とする。
【０００９】
【課題を解決するための手段】
上記目的を達成するべく、この発明の第１の観点に係る楽曲再生装置は、
複数の楽曲と各楽曲の記録位置を識別するための、例えばトラック番号やチャプター番号といった、記録位置情報とが記録された記録媒体から楽曲を再生する順序を示す順序パターンを作成するパターン作成手段と、
前記パターン作成手段により作成された順序パターンが示す再生順序に従って前記記録媒体から楽曲を再生する再生手段とを備え、
前記パターン作成手段は、順序パターンが示す複数の再生順番のうちの少なくとも１つに対して、前記記録媒体に記録されている楽曲を、記録位置情報に基づいて複数指定する手段とともに、順序パターンが示す再生順番に対して楽曲を指定すると、当該再生順番に指定した楽曲からランダムに楽曲を選択する回数を設定するランダム設定手段を備え、
前記再生手段は、前記パターン作成手段により複数の楽曲が指定された再生順番において、指定された複数の楽曲を、記録位置情報に基づいた順序に従って再生する機能と、前記パターン作成手段により楽曲が指定された再生順番において、前記ランダム設定手段により設定された回数だけ、指定された楽曲からランダムに選択して再生する機能とを備える、
ことを特徴とする。
【００１０】
この発明によれば、パターン作成手段は、記録媒体に記録されている楽曲を、各楽曲の記録位置を識別するための記録位置情報に基づいて、順序パターンが示す１つの再生順番に対して複数指定することができ、再生手段は、複数の楽曲が指定された再生順番において、指定された複数の楽曲を記録位置情報に基づいた順序（例えば、トラック番号が増加する順）に従って再生することができる。
これにより、楽曲を連続する順序に従って再生する場合に、簡単に再生順序を設定することができる。
【００１１】
より具体的には、前記パターン作成手段は、順序パターンが示す再生順番において最初に再生する楽曲の記録位置を識別するための記録位置情報と最後に再生する楽曲の記録位置を識別するための記録位置情報とを指定することにより、該再生順番に対して複数の楽曲を指定することが望ましい。
【００１２】
また、前記再生手段は、記録位置情報に基づいた順序に従って再生する機能として、前記パターン作成手段により複数の楽曲が指定された再生順番において、最初に再生する楽曲の記録位置を識別するための記録位置情報と最後に再生する楽曲の記録位置を識別するための記録位置情報のいずれが大きな値を示すかを判別し、最後に再生する楽曲の記録位置を識別するための記録位置情報が大きな値を示すと判別すると、該再生順番に対して指定された複数の楽曲を、記録位置情報が増加する順に再生し、最初に再生する楽曲の記録位置を識別するための記録位置情報が大きな値を示すと判別すると、該再生順番に対して指定された複数の楽曲を、記録位置情報が減少する順に再生する機能を備えることが望ましい。
【００１３】
前記パターン作成手段は、順序パターンが示す再生順番に対して楽曲を指定すると、当該再生順番に指定した楽曲を繰り返し再生する回数を設定するリピート再生設定手段を備え、
前記再生手段は、前記パターン作成手段により楽曲が指定された再生順番において、前記リピート再生設定手段により設定された回数だけ、指定された楽曲を繰り返し再生する機能を備えることが望ましい。
これにより、１つの再生順番に対して複数の楽曲を簡単に指定することができると共に、指定した複数の楽曲を所定の回数だけ繰り返し再生することができ、楽曲の再生順序の指定が簡単となると共に、柔軟な再生が可能となる。
【００１５】
また、この発明の第２の観点に係る情報再生装置は、
記録媒体に複数の区画に分割して記録されている情報の再生順番を区画単位で示す順序パターンを作成するとともに、順序パターンが示す複数の再生順番のうちの少なくとも１つに対して、前記記録媒体の連続する複数の区画に記録されている情報を指定するパターン作成手段と、
前記パターン作成手段により作成された順序パターンが示す再生順序に従って前記記録媒体から情報を再生する再生手段と、
前記パターン作成手段により順序パターンが示す再生順番に対して連続する複数の区画に記録されている情報が指定されると、当該再生順番に指定された情報が記録されている複数の区画のうちからランダムに区画を選択する回数を設定するランダム設定手段とを備え、
前記再生手段は、前記記録媒体の連続する複数の区画に記録されている情報が指定された再生順番において、指定された情報を、前記記録媒体にて区画が連続する順序に従って再生する機能と、前記記録媒体の連続する複数の区画に記録されている情報が指定された再生順番において、指定された情報が記録された複数の区画のうちから前記ランダム設定手段により設定された回数だけランダムに区画を選択し、選択した区画に記録されている情報を再生する機能とを備える、
ことを特徴とする。
【００１６】
この発明によれば、パターン作成手段は、記録媒体の連続する区画に記録されている情報を順序パターンが示す１つの再生順番に対して指定することができ、再生手段は、連続する区画に記録されている情報が指定された再生順番において、指定された情報を、区画が連続する順序に従って再生することができる。
これにより、情報を記録媒体上の区画が連続する順序に従って再生する場合に、簡単に再生順序を設定することができる。
【００２０】
また、この発明の第３の観点に係る情報再生方法は、
記録媒体に複数の区画に分割して記録されている情報の再生順番を区画単位で示す順序パターンを作成するとともに、順序パターンが示す複数の再生順番のうちの少なくとも１つに対して、前記記録媒体の連続する複数の区画に記録されている情報を指定するパターン作成ステップと、
前記パターン作成ステップにて作成した順序パターンが示す再生順序に従って前記記録媒体から情報を再生する再生ステップと、
前記パターン作成ステップにて順序パターンが示す再生順番に対して連続する複数の区画に記録されている情報を指定すると、当該再生順番に指定した情報が記録されている複数の区画のうちからランダムに区画を選択する回数を設定するランダム設定ステップとを備え、
前記再生ステップは、前記記録媒体の連続する複数の区画に記録されている情報が指定された再生順番において、指定された情報を、前記記録媒体にて区画が連続する順序に従って再生する第１再生動作と、前記記録媒体の連続する複数の区画に記録されている情報が指定された再生順番において、指定された情報が記録された複数の区画のうちから前記ランダム設定ステップにて設定した回数だけランダムに区画を選択し、選択した区画に記録されている情報を再生する第２再生動作とを行う、
ことを特徴とする。
【００２３】
【発明の実施の形態】
以下に、図面を参照して、この発明の実施の形態に係る情報再生装置を、楽曲再生装置に応用した場合について詳細に説明する。
【００２４】
図１は、この発明の実施の形態に係る楽曲再生装置１００の構成を示す図である。
この楽曲再生装置１００は、ユーザから指定された再生順序で複数の記録媒体ＲＭに記録された楽曲を再生することができる。
【００２５】
楽曲再生装置１００は、複数の記録媒体ＲＭを保持している、例えばチェンジャー等のスロット番号もしくはトレイ番号等により、各記録媒体ＲＭを識別している。また、記録媒体ＲＭには、複数の楽曲が１曲毎に分割されて複数の区画に記録されており、各楽曲には曲番として、例えば、トラック番号（Track No.）等が付されている。
【００２６】
ここで、記録媒体ＲＭが１曲分の楽曲を記録する区画としては、物理的に区切られた記録媒体ＲＭ上の領域であってもよいし、例えばＭＤ（Mini Disc）等においてしばしば見られるように、物理的には分離した記録媒体ＲＭ上の領域を論理的に結合することにより楽曲再生装置１００が楽曲を再生する際に１曲分として認識する、論理的に割り当てられた領域であってもよい。
【００２７】
この楽曲再生装置１００は、このような複数の記録媒体ＲＭに記録された楽曲を再生するためのものであり、図１に示すように、キー入力部１０と、表示部１１と、プログラム処理部１２と、楽曲再生処理部１３とを備えている。
【００２８】
キー入力部１０は、キーパッド等から構成され、この楽曲再生装置１００への命令入力部であり、楽曲再生装置１００が記録媒体ＲＭから楽曲を再生する順序を設定するためのデータを入力するためのものである。
【００２９】
表示部１１は、ＬＣＤ（Liquid Crystal Display）等から構成され、プログラム処理部１２や楽曲再生処理部１３の処理結果を表示するためのものである。
【００３０】
プログラム処理部１２は、ＲＡＭ（Random Access Memory）及びＲＯＭ（Read Only Memory）を備えたＣＰＵ（Central Processing Unit）等から構成され、記録媒体ＲＭから楽曲を再生する際の再生順序を設定するためのものであり、プログラム記憶部２０を備えている。
【００３１】
プログラム記憶部２０は、プログラム処理部１２が設定した記録媒体ＲＭから楽曲を再生する際の再生順序を、図２（ａ），（ｂ）に示すようなプログラム表５０として記憶するためのものである。
【００３２】
プログラム表５０は、記録媒体ＲＭから楽曲を再生する順番を示す項目「再生順序」を備え、複数の記録媒体ＲＭのうちで再生する楽曲が記録されている位置を特定するための格納位置情報Ｄと、記録位置情報Ｔとを記録する。
【００３３】
ここで、格納位置情報Ｄは、再生媒体や記録媒体（例えば、ＣＤ／ＭＤ／ＬＤ（Laser Disc）／ＤＶＤ（Digital Versatile Disc）等のディスク系や、ＳＤ（Secure Digital）メモリーカード／メモリースティック等の固体メモリー系）全般を、再生もしくは記録する際に必要な、単一もしくは複数枚のトレーやスロット等を持つ再生（記録）装置における、ディスク番号（Disc No.）やトレー番号（Tray No.）、スロット番号（Slot No.）等である。
すなわち、格納位置情報Ｄは、記録媒体ＲＭの格納位置を識別するための情報である。
【００３４】
また、記録位置情報Ｔは、再生媒体や記録媒体（例えば、ＣＤ／ＭＤ／ＬＤ／ＤＶＤ等のディスク系や、ＳＤメモリーカード／メモリースティック等の固体メモリー系）全般の情報管理部分上に存在しているトラック番号（Track No.）やチャプター番号（Chapter No.）、その他の情報データ（ファイル、クラスター、セクター、アドレス等）である。
すなわち、記録位置情報は、記録媒体ＲＭにおける情報（楽曲）の記録位置を識別するための情報である。
【００３５】
図２（ａ）に示すプログラム表５０では、複数の記録媒体ＲＭから楽曲再生装置１００が楽曲を再生する順番（再生順番）として、項目「再生順序」に”１”から”６”までが固定して設定されている。すなわち、この楽曲再生装置１００は、記録媒体ＲＭより１番目に再生する情報から６番目に再生する情報までを順に設定することができる。
【００３６】
また、図２（ｂ）に示すプログラム表５０では、再生順番として、項目「再生順序」に”１”から”９”までが固定して設定されている。すなわち、この楽曲再生装置１００は、記録媒体ＲＭより１番目に再生する情報から９番目に再生する情報までを順に設定することができる。
このように、項目「再生順序」として設ける欄の数は任意であり、図２（ａ），（ｂ）では、例として、６つの欄及び９つの欄を備えている場合を示している。
【００３７】
また、プログラム表５０は、１つの再生順番に対して、トラック番号やチャプター番号等の記録位置情報Ｔが連続する複数の楽曲を一括して指定することができ、その再生順番にて最初に再生する楽曲の記録位置を示す記録位置情報Ｔを指定する項目「開始位置」と、最後に再生する楽曲の記録位置を示す記録位置情報Ｔを指定する項目「終了位置」とを備えている。
【００３８】
楽曲再生処理部１３は、記録媒体ＲＭに記録された楽曲を再生するためのものであり、キー入力部１０からの再生開始の指示に応じて、プログラム記憶部２０が記憶するプログラム表５０に登録されている曲順に従って記録媒体ＲＭから楽曲を再生する。
【００３９】
以下に、上記構成を有する楽曲再生装置１００の動作を説明する。
この楽曲再生装置１００は、トラック番号（Track No.）やチャプター番号（Chapter No.）といった記録位置情報Ｔが連続する複数の楽曲の再生を一括して指定し、記録媒体ＲＭに記録された楽曲を再生する手順を簡単に設定して、記録媒体ＲＭに記録された楽曲の柔軟な再生を可能とする装置である。
【００４０】
この楽曲再生装置１００は、ＣＤ（Compact Disc）等のＤＡＤ（Digital Audio Disc）に記録された楽曲の再生順序を設定可能な通常の楽曲再生装置と同様に、キー入力部１０からの入力により、記録媒体ＲＭから楽曲を再生する順序を設定することができる。
【００４１】
すなわち、プログラム処理部１２は、ユーザがキー入力部１０に備えられた「プログラムキー」（図示せず）を押下する等して楽曲を再生する順序の設定を指示すると、表示部１１の表示を切り換える等の所定の処理を実行して、楽曲の再生順序を設定するためのプログラムモードとなる。そして、プログラム処理部１２は、キー入力部１０からの入力に応じて、プログラム表５０の各欄に楽曲を特定するためのデータを書き込む。
【００４２】
この際、プログラム表５０には、項目「再生順序」が”１”である欄に対応する欄から順に格納位置情報Ｄ及び記録位置情報Ｔの書き込みがなされ、楽曲を再生する順序が設定される。
【００４３】
ここで、プログラム表５０には、１つの再生順番に対して、トラック番号やチャプター番号等の記録位置情報Ｔが連続する複数の楽曲を一括して指定することができる。そして、この楽曲再生装置１００は、記録媒体ＲＭに記録された楽曲の再生順序を指定する際に、記録位置情報Ｔが増加する順又は減少する順に従って順次楽曲を再生することを簡単に指定することができる。
【００４４】
例えば、格納位置情報Ｄが”０１”で示される記録媒体ＲＭに記録されている楽曲のうち、トラック番号やチャプター番号といった記録位置情報Ｔが”０１”から”０４”までのものを記録位置情報Ｔが増加する順に再生させる場合には、プログラム表５０に、図２（ａ）に示すような設定をする。すなわち、ユーザは、キー入力部１０により、格納位置情報Ｄとして”０１”を設定した後、記録位置情報Ｔを設定する際、項目「開始位置」に”０１”を、項目「終了位置」に”０４”をそれぞれ登録する。
【００４５】
これにより、格納位置情報Ｄが”０１”で示される記録媒体ＲＭに記録されている楽曲のうち、記録位置情報Ｔが”０１”から”０４”までのものを記録位置情報Ｔが増加する順に再生する旨を指定することができる。例えば、記録媒体ＲＭがディスク状記録媒体であるときに、ディスク番号”０１”のディスクに記録されている楽曲のうち、トラック番号（Track No.）が”０１”から”０４”までのものを、トラック番号が増加する順に順次再生する旨を指定することができる。
【００４６】
また、プログラム処理部１２は、１つの再生順番に対して１曲の楽曲だけが指定された場合には、項目「開始位置」と項目「終了位置」に、指定された楽曲を示す同一の記録位置情報Ｔを登録することで、１曲だけが指定されていることを判別できるようにする。
【００４７】
さらに、プログラム処理部１２は、キー入力部１０からの指示により、記録位置情報Ｔを設定することなく次の再生順番の楽曲についての設定に移行すると、記録位置情報Ｔとして”ＮＵＬＬ”を設定する。これにより、プログラム表５０は、この再生順番に対して、格納位置情報Ｄにより特定される記録媒体ＲＭに記録されている全ての楽曲が指定されたことを記録する。
【００４８】
なお、記録位置情報Ｔとして”ＮＵＬＬ”を設定するのに代えて、項目「開始位置」に”１”を設定し、項目「終了位置」に、格納位置情報Ｄにより特定される記録媒体ＲＭに記録されている最後の楽曲を示す記録位置情報Ｔ（最終曲のトラック番号等）を設定するようにしてもよい。
【００４９】
このようにして、プログラム処理部１２は、キー入力部１０からの指示に応じて、例えば図２（ｂ）に示すようなプログラム表５０を作成したものとする。プログラム処理部１２は、作成したプログラム表５０を、プログラム記憶部２０に記憶しておく。そして、キー入力部１０が備える「再生キー」（図示せず）が押下されて楽曲の再生が指示されると、プログラム処理部１２は、プログラム記憶部２０に記憶されているプログラム表５０を読み出し、楽曲の再生順序を規定するプログラムとして楽曲再生処理部１３に提供する。
楽曲再生処理部１３は、プログラム処理部１２から受けたプログラム表５０の項目「再生順序」が”１”である欄に対応する格納位置情報Ｄと記録位置情報Ｔを順次読み取って、再生する楽曲を特定し、指定された記録媒体ＲＭから再生する。
【００５０】
この際、楽曲再生処理部１３は、記録位置情報Ｔとして”ＮＵＬＬ”が記録されていると、この再生順番に対して指定された格納位置情報Ｄにより特定される記録媒体ＲＭに記録されている全ての楽曲が指定されたものと判別する。そして、楽曲再生処理部１３は、格納位置情報Ｄにより特定される記録媒体ＲＭに記録されている楽曲を、１曲目から順に全楽曲再生した後、次の再生順番に指定されている楽曲の再生に移行する。
【００５１】
一方、楽曲再生処理部１３は、記録位置情報Ｔとしてトラック番号（Track No.）やチャプター番号（Chapter No.）を示す番号が記録されていると、項目「開始位置」に指定されている記録位置情報Ｔと項目「終了位置」に指定されている記録位置情報Ｔの大小関係を特定する。
すなわち、楽曲再生処理部１３は、項目「開始位置」に指定されている記録位置情報Ｔと項目「終了位置」に指定されている記録位置情報Ｔのいずれが大きいか、或いは同一であるかを判別する。
【００５２】
楽曲再生処理部１３は、項目「開始位置」に指定されている記録位置情報Ｔと項目「終了位置」に指定されている記録位置情報Ｔとが同一であると判別すると、この再生順番において１曲の楽曲だけを再生するとして、指定された記録位置情報Ｔにより特定される楽曲を記録媒体ＲＭから再生する。
【００５３】
一方、楽曲再生処理部１３は、項目「終了位置」に指定されている記録位置情報Ｔと項目「開始位置」に指定されている記録位置情報Ｔとが異なっている場合には、この再生順番において複数の楽曲を再生するとして、項目「開始位置」に指定されている記録位置情報Ｔと項目「終了位置」に指定されている記録位置情報Ｔのいずれが大きいかを判別する。
【００５４】
楽曲再生処理部１３は、項目「終了位置」に指定されている記録位置情報Ｔが項目「開始位置」に指定されている記録位置情報Ｔより大きいと判別すると、記録位置情報Ｔが増加する順に楽曲を再生するとして、記録媒体ＲＭから順次楽曲を再生する。すなわち、楽曲再生処理部１３は、項目「開始位置」に指定されている記録位置情報Ｔにより特定される楽曲から項目「終了位置」に指定されている記録位置情報Ｔにより特定される楽曲までを、記録位置情報Ｔが増加する順に従って順次再生する。
【００５５】
一方、楽曲再生処理部１３は、項目「開始位置」に指定されている記録位置情報Ｔが項目「開始位置」に指定されている記録位置情報Ｔより大きいと判別すると、記録位置情報Ｔが減少する順に楽曲を再生するとして、記録媒体ＲＭから順次楽曲を再生する。すなわち、楽曲再生処理部１３は、項目「開始位置」に指定されている記録位置情報Ｔにより特定される楽曲から項目「終了位置」に指定されている記録位置情報Ｔにより特定される楽曲までを、記録位置情報Ｔが減少する順に従って順次再生する。
【００５６】
例えば、図２（ｂ）に示すようなプログラム表５０を作成した後、キー入力部１０から楽曲の再生を開始する旨の指示が入力されると、楽曲再生処理部１３は、プログラム表５０を読み取って、プログラム表５０により規定される順序での楽曲の再生を開始する。
【００５７】
図２（ｂ）に示すプログラム表５０では、項目「再生順序」が”１”である欄に対応する格納位置情報Ｄとして番号”０１”が指定され、記録位置情報Ｔとして、項目「開始位置」に番号”０１”が、項目「終了位置」に番号”０４”がそれぞれ指定されている。
楽曲再生処理部１３は、項目「終了位置」に指定されている記録位置情報Ｔが項目「開始位置」に指定されている記録位置情報Ｔよりも大きいことから、記録媒体ＲＭに記録されている楽曲を、記録位置情報Ｔが増加する順に再生すると判別する。
そして、楽曲再生処理部１３は、１番目に再生する情報として、格納位置情報Ｄが”０１”で示される記録媒体ＲＭに記録されている楽曲のうち、記録位置情報Ｔが”０１”から”０４”までのものを記録位置情報Ｔが増加する順に順次特定し、記録媒体ＲＭにアクセスして楽曲を再生する。
これにより、１つの再生順番に対して一括して指定された複数の楽曲を、トラック番号やチャプター番号といった記録位置を示す記録位置情報Ｔが増加する順に順次再生することができる。
【００５８】
楽曲再生処理部１３は、図２（ｂ）に示すようなプログラム表５０の項目「再生順序」が”１”である欄に対応する楽曲の再生が終了すると、項目「再生順序」が”２”である欄に対応する格納位置情報Ｄと記録位置情報Ｔを読み取る。
【００５９】
図２（ｂ）に示すプログラム表５０では、項目「再生順序」が”２”である欄に対応する格納位置情報Ｄとして番号”０２”が指定され、記録位置情報Ｔとして、項目「開始位置」に番号”０５”が、項目「終了位置」に番号”０８”がそれぞれ指定されている。
そこで、楽曲再生処理部１３は、２番目に再生する情報として、格納位置情報Ｄが”０２”で示される記録媒体ＲＭに記録されている楽曲のうち、記録位置情報Ｔが”０５”から”０８”までのものを記録位置情報Ｔが増加する順に順次特定し、記録媒体ＲＭにアクセスして楽曲を再生する。
【００６０】
楽曲再生処理部１３は、図２（ｂ）に示すようなプログラム表５０の項目「再生順序」が”２”である欄に対応する楽曲の再生が終了すると、項目「再生順序」が”３”である欄に対応する格納位置情報Ｄと記録位置情報Ｔを読み取る。
【００６１】
図２（ｂ）に示すプログラム表５０では、項目「再生順序」が”３”である欄に対応する格納位置情報Ｄとして番号”０３”が指定され、記録位置情報Ｔとして、項目「開始位置」に番号”１５”が、項目「終了位置」に番号”１３”がそれぞれ指定されている。
楽曲再生処理部１３は、項目「開始位置」に指定されている記録位置情報Ｔが項目「終了位置」に指定されている記録位置情報Ｔよりも大きいことから、記録媒体ＲＭに記録されている楽曲を記録位置情報Ｔが減少する順に再生すると判別する。
そして、楽曲再生処理部１３は、３番目に再生する情報として、格納位置情報Ｄが”０３”で示される記録媒体ＲＭに記録されている楽曲のうち、記録位置情報Ｔが”１３”から”１５”までのものを記録位置情報Ｔが減少する順に順次特定し、記録媒体ＲＭにアクセスして楽曲を再生する。
これにより、１つの再生順番に対して一括して指定された複数の楽曲を、トラック番号やチャプター番号といった記録位置を示す記録位置情報Ｔが減少する順に順次再生することができる。
【００６２】
楽曲再生処理部１３は、図２（ｂ）に示すようなプログラム表５０の項目「再生順序」が”３”である欄に対応する楽曲の再生が終了すると、項目「再生順序」が”４”である欄に対応する格納位置情報Ｄと記録位置情報Ｔを読み取る。
【００６３】
図２（ｂ）に示すプログラム表５０では、項目「再生順序」が”４”である欄に対応する格納位置情報Ｄとして番号”０４”が指定され、記録位置情報Ｔとして、項目「開始位置」に番号”１１”が、項目「終了位置」に番号”０９”がそれぞれ指定されている。
そこで、楽曲再生処理部１３は、４番目に再生する情報として、格納位置情報Ｄが”０４”で示される記録媒体ＲＭに記録されている楽曲のうち、記録位置情報Ｔが”０９”から”１１”までのものを記録位置情報Ｔが減少する順に順次特定し、記録媒体ＲＭにアクセスして楽曲を再生する。
【００６４】
楽曲再生処理部１３は、図２（ｂ）に示すようなプログラム表５０の項目「再生順序」が”４”である欄に対応する楽曲の再生が終了すると、項目「再生順序」が”５”である欄に対応する格納位置情報Ｄと記録位置情報Ｔを読み取る。
【００６５】
図２（ｂ）に示すプログラム表５０では、項目「再生順序」が”５”である欄に対応する格納位置情報Ｄとして番号”０５”が指定され、記録位置情報Ｔとして、項目「開始位置」及び項目「終了位置」に同一の番号”１０”が指定されている。
楽曲再生処理部１３は、項目「開始順序」に指定されている記録位置情報Ｔと項目「終了位置」に指定されている記録位置情報Ｔとが同一であることから、この再生順番では１曲の楽曲だけを再生すると判別する。
そして、楽曲再生処理部１３は、５番目に再生する情報として、格納位置情報Ｄが”０５”である記録媒体ＲＭに記録されている楽曲のうち、記録位置情報Ｔが”１０”であるものを特定し、記録媒体ＲＭからその楽曲を再生する。
【００６６】
次に、楽曲再生処理部１３は、図２（ｂ）に示すようなプログラム表５０の項目「再生順序」が”６”である欄に対応する格納位置情報Ｄと記録位置情報Ｔを読み取る。
【００６７】
図２（ｂ）に示すプログラム表５０では、項目「再生順序」が”６”である欄に対応する格納位置情報Ｄとして番号”０６”が指定され、記録位置情報Ｔとして、項目「開始位置」及び項目「終了位置」に同一の番号”１２”が指定されている。
そこで、楽曲再生処理部１３は、６番目に再生する情報として、格納位置情報Ｄが”０６”で示される記録媒体ＲＭに記録されている楽曲のうち、記録位置情報Ｔが”１２”であるものを特定し、記録媒体ＲＭからその楽曲を再生する。
【００６８】
次に、楽曲再生処理部１３は、図２（ｂ）に示すようなプログラム表５０の項目「再生順序」が”７”である欄に対応する格納位置情報Ｄと記録位置情報Ｔを読み取る。
【００６９】
図２（ｂ）に示すプログラム表５０では、項目「再生順序」が”７”である欄に対応する格納位置情報Ｄとして番号”０７”が指定され、項目「開始位置」及び項目「終了位置」には”ＮＵＬＬ”が指定されている。
楽曲再生処理部１３は、項目「開始位置」及び項目「終了位置」が共に”ＮＵＬＬ”であることから、この再生順番では、格納位置情報Ｄにより示される記録媒体ＲＭに記録されている全ての楽曲を再生すると判別する。
そして、楽曲再生処理部１３は、７番目に再生する情報として、格納位置情報Ｄが”０７”で示される記録媒体ＲＭに記録されている全ての楽曲を、１曲目の楽曲から順次特定し、記録媒体ＲＭにアクセスして楽曲を再生する。
【００７０】
楽曲再生処理部１３は、図２（ｂ）に示すようなプログラム表５０の項目「再生順序」が”７”である欄に対応する楽曲の再生が終了すると、項目「再生順序」が”８”である欄に対応する格納位置情報Ｄと記録位置情報Ｔを読み取る。
【００７１】
図２（ｂ）に示すプログラム表５０では、項目「再生順序」が”８”である欄に対応する格納位置情報Ｄとして番号”０８”が指定され、項目「開始位置」及び項目「終了位置」には”ＮＵＬＬ”が指定されている。
そこで、楽曲再生処理部１３は、８番目に再生する情報として、格納位置情報Ｄが”０８”で示される記録媒体ＲＭに記録されている全ての楽曲を、１曲目の楽曲から順次特定し、記録媒体ＲＭにアクセスして楽曲を再生する。
【００７２】
楽曲再生処理部１３は、図２（ｂ）に示すようなプログラム表５０の項目「再生順序」が”８”である欄に対応する楽曲の再生が終了すると、項目「再生順序」が”９”である欄に対応する格納位置情報Ｄと記録位置情報Ｔを読み取る。
しかし、図２（ｂ）に示すプログラム表５０では、項目「再生順序」が”９”である欄に対応する格納位置情報Ｄ及び記録位置情報Ｔが指定されていないことから、楽曲再生処理部１３は、指定された楽曲を全て再生したとして、楽曲の再生を終了する。
【００７３】
以上説明したように、この発明によれば、記録媒体ＲＭに記録されている楽曲等の情報の再生順序を、トラック番号やチャプター番号等の情報が記録されている位置を示す格納位置情報Ｄ及び記録位置情報Ｔにより１つの再生順番に対して複数指定することができる。そして、この複数指定した楽曲を記録位置情報Ｔが増加する順又は減少する順に順次再生することができる。
これにより、記録媒体ＲＭに記録されている楽曲等の情報の再生手順を簡単に設定することができる。
【００７４】
上記第１の実施の形態では、トラック番号やチャプター番号等の記録位置情報Ｔが連続する楽曲を記録位置情報Ｔに従って順次再生する際に、設定を簡単に行うことができた。
しかし、同一の楽曲を複数の回数だけ繰り返し再生させる場合には、従来通り１つの再生順番に対して１回分の楽曲の再生を指定しなければならず、手間が掛かる。
そこで、同一の楽曲を複数の回数だけ繰り返し再生する設定を簡単にする、この発明の第２の実施の形態に係る楽曲再生装置について説明する。
【００７５】
この発明の第２の実施の形態に係る楽曲再生装置は、上記第１の実施の形態に係る楽曲再生装置１００と同一の構成を有している。
ただし、プログラム処理部１２は、プログラム表５０に代えて、図３（ａ），（ｂ）に示すようなプログラム表６０を作成してプログラム記憶部２０に記憶する。
【００７６】
プログラム表６０は、上記第１の実施の形態におけるプログラム表５０が備える項目に加え、項目「リピート設定」を備えている。
【００７７】
プログラム表６０が備える項目「リピート設定」は、楽曲再生処理部１３が項目「再生順序」に示された再生順番にて再生する楽曲を繰り返し再生する回数を示す。そして、楽曲再生処理部１３は、キー入力部１０が備える「再生キー」（図示せず）が押下され、記録媒体ＲＭに記録された楽曲を再生する指示を受けると、各再生順番にて再生する楽曲を特定すると共に、各楽曲を繰り返し再生する回数を、項目「リピート設定」を参照することにより特定する。
【００７８】
このような再生を可能とするため、例えば、格納位置情報Ｄが”０１”で示される記録媒体ＲＭに記録されている楽曲のうち、トラック番号やチャプター番号といった記録位置情報Ｔが”０１”から”０４”までのものを記録位置情報Ｔが増加する順に３回だけ繰り返し再生（リピート再生）させる場合には、ユーザは、プログラム表６０に、図３（ａ）に示すような設定をする。すなわち、ユーザは、キー入力部１０により、格納位置情報Ｄとして”０１”を設定した後、記録位置情報Ｔとして、項目「開始位置」に”０１”を、項目「終了位置」に”０４”をそれぞれ指定する。さらに、項目「リピート設定」に”３”を設定する。
【００７９】
この際、プログラム処理部１２は、キー入力部１０により、ある再生順番に対する格納位置情報Ｄ及び記録位置情報Ｔが指定された後、この楽曲を繰り返し再生する回数の設定に移行すると、項目「リピート設定」に、デフォルト値として”１”を設定する。
【００８０】
なお、項目「リピート設定」の初期状態は”ｏｆｆ”で、リピート再生を行わないことを示し、楽曲を繰り返し再生する回数が設定されなければ、項目「リピート設定」には”ｏｆｆ”が設定されたままとなる。プログラム処理部１２は、このように項目「リピート設定」に”ｏｆｆ”が指定されたままで、プログラム表６０に示される次の再生順番に対する格納位置情報Ｄ及び記録位置情報Ｔを指定することができる。
ただし、プログラム処理部１２は、項目「リピート設定」の設定に移行した場合にも、楽曲を繰り返し再生する回数として”ｏｆｆ”を設定して、リピート再生を行わないように指定することもできる。
【００８１】
また、プログラム処理部１２は、キー入力部１０からの指示により、記録位置情報Ｔを設定することなく項目「リピート設定」の設定或いは次の再生順番の楽曲についての設定に移行すると、記録位置情報Ｔとして、項目「開始位置」及び項目「終了位置」に”ＮＵＬＬ”を設定する。この場合、楽曲再生処理部１３は、楽曲を再生する際、この再生順番に対して指定された格納位置情報Ｄにより特定される記録媒体ＲＭに記録されている全ての楽曲が指定されたものと判別する。そして、楽曲再生処理部１３は、その格納位置情報Ｄにより特定された記録媒体ＲＭに記録されている楽曲を、１曲目から順に全楽曲を再生した後、次の再生順番に指定されている楽曲の再生に移行する。
【００８２】
なお、記録位置情報Ｔが”ＮＵＬＬ”である再生順番に対応する項目「リピート設定」に”ｏｆｆ”以外が設定されている場合には、楽曲再生処理部１３は、格納位置情報Ｄにより特定された記録媒体ＲＭに記録されている全楽曲の再生が終了する毎に、１曲目の再生にリターンして、指定されている回数だけ繰り返し再生（全曲リピート再生）する。
【００８３】
また、記録位置情報Ｔとして”ＮＵＬＬ”を設定するのに代えて、項目「開始位置」に”１”を設定し、項目「終了位置」に、格納位置情報Ｄにより特定される記録媒体ＲＭに記録されている最後の楽曲を示す記録位置情報Ｔ（最終曲のトラック番号等）を設定するようにしてもよい。
【００８４】
以上を前提として、プログラム処理部１２は、キー入力部１０からの指示に応じて、例えば図３（ｂ）に示すようなプログラム表６０を作成したものとする。プログラム処理部１２は、作成したプログラム表６０を、プログラム記憶部２０に記憶しておく。そして、キー入力部１０が備える「再生キー」（図示せず）が押下されて楽曲の再生が指示されると、プログラム処理部１２は、プログラム記憶部２０に記憶されているプログラム表６０を読み出し、楽曲の再生順序を規定するプログラムとして楽曲再生処理部１３に提供する。
【００８５】
楽曲再生処理部１３は、プログラム処理部１２から受けたプログラム表６０の項目「再生順序」が”１”である欄に対応する格納位置情報Ｄ、記録位置情報Ｔ及び項目「リピート設定」を順次読み取って、再生する楽曲を特定し、指定された記録媒体ＲＭから楽曲を再生する。
【００８６】
例えば、図３（ｂ）に示すようなプログラム表６０を作成した後、キー入力部１０から楽曲の再生を開始する旨の指示が入力されると、楽曲再生処理部１３は、プログラム表６０を読み取って、プログラム表６０により規定される順序での楽曲の再生を開始する。
【００８７】
図３（ｂ）に示すプログラム表６０では、項目「再生順序」が”１”である欄に対応する格納位置情報Ｄとして番号”０１”が指定され、記録位置情報Ｔとして、項目「開始位置」に番号”０１”が、項目「終了位置」に番号”０４”がそれぞれ指定されている。また、項目「リピート設定」には、リピート回数”３”が指定されている。
【００８８】
楽曲再生処理部１３は、項目「終了位置」に指定されている記録位置情報Ｔが項目「開始位置」に指定されている記録位置情報Ｔよりも大きいことから、記録媒体ＲＭに記録されている楽曲を、記録位置情報Ｔが増加する順に再生すると判別する。
そして、楽曲再生処理部１３は、１番目に再生する情報として、格納位置情報Ｄが”０１”で示される記録媒体ＲＭに記録されている楽曲のうち、記録位置情報Ｔが”０１”から”０４”までのものを記録位置情報Ｔが増加する順に順次特定し、記録媒体ＲＭにアクセスして楽曲を再生する。
【００８９】
さらに、楽曲再生処理部１３は、項目「リピート設定」にリピート回数”３”が指定されていることから、記録位置情報Ｔが”０１”から”０４”までの楽曲を記録位置情報Ｔが増加する順に３回繰り返し再生する。
これにより、１つの再生順番に対して指定された複数の楽曲を、トラック番号やチャプター番号といった記録位置を示す記録位置情報Ｔが増加する順に順次再生し、さらに、指定されたリピート回数だけ繰り返し再生することができる。
【００９０】
楽曲再生処理部１３は、図３（ｂ）に示すようなプログラム表６０の項目「再生順序」が”１”である欄に対応する楽曲の再生が終了すると、項目「再生順序」が”２”である欄に対応する格納位置情報Ｄと記録位置情報Ｔを読み取る。
【００９１】
図３（ｂ）に示すプログラム表６０では、項目「再生順序」が”２”である欄に対応する格納位置情報Ｄとして番号”０２”が指定され、記録位置情報Ｔとして、項目「開始位置」に番号”０５”が、項目「終了位置」に番号”０８”がそれぞれ指定されている。また、項目「リピート設定」には、リピート再生を行わない旨を示す”ｏｆｆ”が指定されている。
そこで、楽曲再生処理部１３は、２番目に再生する情報として、格納位置情報Ｄが”０２”で示される記録媒体ＲＭに記録されている楽曲のうち、記録位置情報Ｔが”０５”から”０８”までのものを記録位置情報Ｔが増加する順に順次特定し、記録媒体ＲＭにアクセスして楽曲を再生する。
【００９２】
楽曲再生処理部１３は、項目「リピート設定」に”ｏｆｆ”が指定されていることから、リピート再生は行わず、項目「再生順序」が”２”である欄に対応する楽曲の再生を終了する。
【００９３】
次に、楽曲再生処理部１３は、図３（ｂ）に示すようなプログラム表６０の項目「再生順序」が”３”である欄に対応する格納位置情報Ｄと記録位置情報Ｔを読み取る。
【００９４】
図３（ｂ）に示すプログラム表６０では、項目「再生順序」が”３”である欄に対応する格納位置情報Ｄとして番号”０３”が指定され、記録位置情報Ｔとして、項目「開始位置」に番号”１５”が、項目「終了位置」に番号”１３”がそれぞれ指定されている。また、項目「リピート設定」には、リピート回数”４”が指定されている。
【００９５】
楽曲再生処理部１３は、項目「開始位置」に指定されている記録位置情報Ｔが項目「終了位置」に指定されている記録位置情報Ｔよりも大きいことから、記録媒体ＲＭに記録されている楽曲を記録位置情報Ｔが減少する順に再生すると判別する。
そして、楽曲再生処理部１３は、３番目に再生する情報として、格納位置情報Ｄが”０３”で示される記録媒体ＲＭに記録されている楽曲のうち、記録位置情報Ｔが”１３”から”１５”までのものを記録位置情報Ｔが減少する順に順次特定し、記録媒体ＲＭにアクセスして楽曲を再生する。
【００９６】
さらに、楽曲再生処理部１３は、項目「リピート設定」にリピート回数”４”が指定されていることから、記録位置情報Ｔが”１３”から”１５”までの楽曲を記録位置情報Ｔが減少する順に４回繰り返し再生する。
これにより、１つの再生順番に対して一括して指定された複数の楽曲を、トラック番号やチャプター番号といった記録位置を示す記録位置情報Ｔが減少する順に順次再生し、さらに、指定されたリピート回数だけ繰り返し再生することができる。
【００９７】
楽曲再生処理部１３は、図３（ｂ）に示すようなプログラム表６０の項目「再生順序」が”３”である欄に対応する楽曲の再生が終了すると、項目「再生順序」が”４”である欄に対応する格納位置情報Ｄと記録位置情報Ｔを読み取る。
【００９８】
図３（ｂ）に示すプログラム表６０では、項目「再生順序」が”４”である欄に対応する格納位置情報Ｄとして番号”０４”が指定され、記録位置情報Ｔとして、項目「開始位置」に番号”１１”が、項目「終了位置」に番号”０９”がそれぞれ指定されている。また、項目「リピート設定」には、リピート再生を行わない旨を示す”ｏｆｆ”が指定されている。
そこで、楽曲再生処理部１３は、４番目に再生する情報として、格納位置情報Ｄが”０４”で示される記録媒体ＲＭに記録されている楽曲のうち、記録位置情報Ｔが”０９”から”１１”までのものを記録位置情報Ｔが減少する順に順次特定し、記録媒体ＲＭにアクセスして楽曲を再生する。
【００９９】
楽曲再生処理部１３は、項目「リピート設定」に”ｏｆｆ”が指定されていることから、リピート再生は行わず、項目「再生順序」が”４”である欄に対応する楽曲の再生を終了する。
【０１００】
次に、楽曲再生処理部１３は、図３（ｂ）に示すようなプログラム表６０の項目「再生順序」が”５”である欄に対応する格納位置情報Ｄと記録位置情報Ｔを読み取る。
【０１０１】
図３（ｂ）に示すプログラム表６０では、項目「再生順序」が”５”である欄に対応する格納位置情報Ｄとして番号”０５”が指定され、記録位置情報Ｔとして、項目「開始位置」及び項目「終了位置」に同一の番号”１０”が指定されている。また、項目「リピート設定」には、リピート回数”２”が指定されている。
【０１０２】
楽曲再生処理部１３は、項目「開始順序」に指定されている記録位置情報Ｔと項目「終了位置」に指定されている記録位置情報Ｔとが同一であることから、この再生順番では１曲の楽曲だけを再生すると判別する。
そして、楽曲再生処理部１３は、５番目に再生する情報として、格納位置情報Ｄが”０５”である記録媒体ＲＭに記録されている楽曲のうち、記録位置情報Ｔが”１０”であるものを特定し、記録媒体ＲＭからその楽曲を再生する。
【０１０３】
さらに、楽曲再生処理部１３は、項目「リピート設定」にリピート回数”２”が指定されていることから、記録位置情報Ｔが”１０”である楽曲のみを２回繰り返し再生する。
これにより、１つの再生順番に対して指定された１曲の楽曲のみを繰り返し再生する１曲リピートを行うことができる。
【０１０４】
次に、楽曲再生処理部１３は、図３（ｂ）に示すようなプログラム表６０の項目「再生順序」が”６”である欄に対応する格納位置情報Ｄと記録位置情報Ｔを読み取る。
【０１０５】
図３（ｂ）に示すプログラム表６０では、項目「再生順序」が”６”である欄に対応する格納位置情報Ｄとして番号”０６”が指定され、記録位置情報Ｔとして、項目「開始位置」及び項目「終了位置」に同一の番号”１２”が指定されている。また、項目「リピート設定」には、リピート再生を行わない旨を示す”ｏｆｆ”が指定されている。
そこで、楽曲再生処理部１３は、６番目に再生する情報として、格納位置情報Ｄが”０６”で示される記録媒体ＲＭに記録されている楽曲のうち、記録位置情報Ｔが”１２”であるものを特定し、記録媒体ＲＭからその楽曲を再生する。
【０１０６】
楽曲再生処理部１３は、項目「リピート設定」に”ｏｆｆ”が指定されていることから、リピート再生は行わず、項目「再生順序」が”６”である欄に対応する楽曲の再生を終了する。
【０１０７】
次に、楽曲再生処理部１３は、図３（ｂ）に示すようなプログラム表６０の項目「再生順序」が”７”である欄に対応する格納位置情報Ｄと記録位置情報Ｔを読み取る。
【０１０８】
図３（ｂ）に示すプログラム表６０では、項目「再生順序」が”７”である欄に対応する格納位置情報Ｄとして番号”０７”が指定され、項目「開始位置」及び項目「終了位置」には”ＮＵＬＬ”が指定されている。また、項目「リピート設定」には、リピート回数”１”が指定されている。
【０１０９】
楽曲再生処理部１３は、項目「開始位置」及び項目「終了位置」が共に”ＮＵＬＬ”であることから、この再生順番では、格納位置情報Ｄにより示される記録媒体ＲＭに記録されている全ての楽曲を再生すると判別する。
そして、楽曲再生処理部１３は、７番目に再生する情報として、格納位置情報Ｄが”０７”で示される記録媒体ＲＭに記録されている全ての楽曲を、１曲目の楽曲から順次特定し、記録媒体ＲＭにアクセスして楽曲を再生する。
【０１１０】
さらに、楽曲再生処理部１３は、項目「リピート設定」にリピート回数”１”が指定されていることから、格納位置情報Ｄが”０７”で示される記録媒体ＲＭに記録されている全ての楽曲を１曲目から順に１回繰り返し再生する。
これにより、１つの再生順番に対して格納位置情報Ｄにより特定される記録媒体ＲＭに記録されている全楽曲を１曲目から順に再生し、さらに、指定されたリピート回数だけ繰り返し再生（全曲リピート）することができる。
【０１１１】
楽曲再生処理部１３は、図３（ｂ）に示すようなプログラム表６０の項目「再生順序」が”７”である欄に対応する楽曲の再生が終了すると、項目「再生順序」が”８”である欄に対応する格納位置情報Ｄと記録位置情報Ｔを読み取る。
【０１１２】
図３（ｂ）に示すプログラム表６０では、項目「再生順序」が”８”である欄に対応する格納位置情報Ｄとして番号”０８”が指定され、項目「開始位置」及び項目「終了位置」には”ＮＵＬＬ”が指定されている。また、項目「リピート設定」には、リピート再生を行わない旨を示す”ｏｆｆ”が指定されている。
そこで楽曲再生処理部１３は、８番目に再生する情報として、格納位置情報Ｄが”０８”で示される記録媒体ＲＭに記録されている全ての楽曲を、１曲目の楽曲から順次特定し、記録媒体ＲＭにアクセスして楽曲を再生する。
【０１１３】
楽曲再生処理部１３は、項目「リピート設定」に”ｏｆｆ”が指定されていることから、リピート再生は行わず、項目「再生順序」が”８”である欄に対応する楽曲の再生を終了する。
【０１１４】
楽曲再生処理部１３は、図３（ｂ）に示すようなプログラム表６０の項目「再生順序」が”８”である欄に対応する楽曲の再生が終了すると、項目「再生順序」が”９”である欄に対応する格納位置情報Ｄと記録位置情報Ｔを読み取る。
しかし、図３（ｂ）に示すプログラム表６０では、項目「再生順序」が”９”である欄に対応する格納位置情報Ｄ及び記録位置情報Ｔが指定されていないことから、楽曲再生処理部１３は、指定された楽曲を全て再生したとして、楽曲の再生を終了する。
【０１１５】
以上説明したように、項目「リピート設定」を備えたプログラム表６０を用いて楽曲の再生手順を設定することにより、上記第１の実施の形態で指定した楽曲を繰り返し再生させる場合にも、簡単な設定で再生手順を指定することができる。
これにより、１つの再生順番に対して複数の楽曲を簡単に指定できると共に、指定した楽曲を簡単な設定で繰り返し再生することができる。
【０１１６】
ところで、通常、このような楽曲再生装置には、乱数を発生させて再生する楽曲の曲番を指定することにより、楽曲をランダムに再生することができるものがある。
しかし、従来の楽曲再生装置は、１つの記録媒体ＲＭに記録された全ての楽曲、或いはチェンジャー等にセットされた複数の記録媒体ＲＭに記録されている全ての楽曲のうちからランダムに選択して再生することしかできなかった。
そこで、記録媒体ＲＭに記録されている複数の楽曲のうち所定の条件を満たすものからランダムに楽曲を選択して再生するこの発明の第３の実施の形態に係る楽曲再生装置について説明する。
【０１１７】
この発明の第３の実施の形態に係る楽曲再生装置は、上記第１及び第２の実施の形態に係る楽曲再生装置と同一の構成を有している。
ただし、プログラム処理部１２は、プログラム表５０，６０に代えて図４（ａ），（ｂ）に示すようなプログラム表７０を作成し、プログラム記憶部２０に記憶する。
【０１１８】
プログラム表７０は、上記第１の実施の形態におけるプログラム表５０が備える項目に加え、項目「ランダム設定」を備えている。
【０１１９】
プログラム表７０が備える項目「ランダム設定」は、項目「再生順序」に対応して指定された格納位置情報Ｄ及び記録位置情報Ｔにより特定される複数（または、単一）の楽曲のうちからランダムに選択して再生する回数を示す。そして、楽曲再生処理部１３は、キー入力部１０が備える「再生キー」（図示せず）が押下され、記録媒体ＲＭに記録された楽曲の再生を開始する旨の指示を受けると、各再生順番にて再生する楽曲を特定し、特定した楽曲からランダムに選択して再生する回数を、項目「ランダム設定」を参照することにより特定する。
【０１２０】
このような再生を可能とするため、例えば、格納位置情報Ｄが”０１”で示される記録媒体ＲＭに記録されている楽曲のうち、トラック番号やチャプター番号といった記録位置情報Ｔが”０１”から”０４”までのもののうちから３回だけランダムに選択して再生する場合には、プログラム表７０に、図４（ａ）に示すような設定をする。すなわち、ユーザは、キー入力部１０により、格納位置情報Ｄとして”０１”を設定した後、記録位置情報Ｔとして、項目「開始位置」に”０１”を、項目「終了位置」に”０４”をそれぞれ指定する。さらに、項目「ランダム設定」には、ランダムに選択する回数として”３”を設定する。
【０１２１】
この際、プログラム処理部１２は、キー入力部１０により、ある再生順番に対する格納位置情報Ｄ及び記録位置情報Ｔが指定された後、指定された楽曲からランダムに選択して再生する回数の設定に移行すると、項目「ランダム設定」に、デフォルト値として”１”を設定する。
【０１２２】
なお、項目「ランダム設定」の初期状態は”ｏｆｆ”で、ランダム再生を行わないことを示し、ランダムに再生する回数を設定されなければ、項目「ランダム設定」には”ｏｆｆ”が指定されたままとなる。プログラム処理部１２は、このように項目「ランダム設定」に”ｏｆｆ”が指定されたままで、プログラム表７０に示される次の再生順番に対する格納位置情報Ｄ及び記録位置情報Ｔを指定することができる。
ただし、プログラム処理部１２は、項目「ランダム設定」の設定に移行した場合にも、楽曲をランダムに選択して再生する回数として”ｏｆｆ”を設定して、ランダム再生を行わないように指定することもできる。
【０１２３】
また、プログラム処理部１２は、キー入力部１０からの指示により、記録位置情報Ｔを設定することなく項目「ランダム設定」の設定或いは次の再生順番の楽曲についての設定に移行すると、記録位置情報Ｔとして、項目「開始位置」及び項目「終了位置」に”ＮＵＬＬ”を設定する。この場合、楽曲再生処理部１３は、楽曲を再生する際、この再生順番に対して指定された格納位置情報Ｄにより特定される記録媒体ＲＭに記録されている全ての楽曲が指定されたものと判別する。そして、楽曲再生処理部１３は、その格納位置情報Ｄにより特定された記録媒体ＲＭに記録されている全楽曲を対象としてランダム再生を行ったり（項目「ランダム設定」が”ｏｆｆ”以外の場合）、１曲目から順に全楽曲再生したりする（項目「ランダム設定」が”ｏｆｆ”の場合）。この後、次の再生順番において指定されている楽曲を再生する。
【０１２４】
なお、記録位置情報Ｔとして”ＮＵＬＬ”を設定するのに代えて、項目「開始位置」に”１”を設定し、項目「終了位置」に、格納位置情報Ｄにより特定される記録媒体ＲＭに記録されている最後の楽曲を示す記録位置情報Ｔ（最終曲のトラック番号等）を設定するようにしてもよい。
【０１２５】
以上を前提として、プログラム処理部１２は、キー入力部１０からの指示に応じて、例えば図４（ｂ）に示すようなプログラム表７０を作成したものとする。プログラム処理部１２は、作成したプログラム表７０を、プログラム記憶部２０に記憶しておく。そして、キー入力部１０が備える「再生キー」（図示せず）が押下されて楽曲の再生が指示されると、プログラム処理部１２は、プログラム記憶部２０に記憶されているプログラム表７０を読み出し、楽曲の再生順序を規定するプログラムとして楽曲再生処理部１３に提供する。
【０１２６】
楽曲再生処理部１３は、プログラム処理部１２から受けたプログラム表７０の項目「再生順序」が”１”である欄に対応する格納位置情報Ｄ、記録位置情報Ｔ及び項目「ランダム設定」を順次読み取って、再生する楽曲を特定し、指定された記録媒体ＲＭから楽曲を再生する。
【０１２７】
例えば、図４（ｂ）に示すようなプログラム表７０を作成した後、キー入力部１０から楽曲の再生を開始する旨の指示が入力されると、楽曲再生処理部１３は、プログラム表７０を読み取って、プログラム表７０により規定される順序での楽曲の再生を開始する。
【０１２８】
図４（ｂ）に示すプログラム表７０では、項目「再生順序」が”１”である欄に対応する格納位置情報Ｄとして番号”０１”が指定され、記録位置情報Ｔとして、項目「開始位置」に番号”０１”が、項目「終了位置」に番号”０４”がそれぞれ指定されている。また、項目「ランダム設定」には、ランダム再生回数”３”が指定されている。
【０１２９】
そこで、楽曲再生処理部１３は、格納位置情報Ｄが”０１”で示される記録媒体ＲＭに記録されている楽曲で、記録位置情報Ｔが”０１”から”０４”までのもののうちからランダムに３回選択したものが、１番目に再生する情報となることを特定し、順次記録媒体ＲＭにアクセスして楽曲を再生する。
これにより、１つの再生順番に対して指定された複数の楽曲のうちから、所定の回数だけランダムに選択したものを再生することができる。
【０１３０】
楽曲再生処理部１３は、３回ランダムに選択した楽曲の再生が終了すると、図４（ｂ）に示すプログラム表７０の項目「再生順序」が”２”である欄に対応する格納位置情報Ｄと記録位置情報Ｔを読み取る。
【０１３１】
図４（ｂ）に示すプログラム表７０では、項目「再生順序」が”２”である欄に対応する格納位置情報Ｄとして番号”０２”が指定され、記録位置情報Ｔとして、項目「開始位置」に番号”０５”が、項目「終了位置」に番号”０８”がそれぞれ指定されている。また、項目「ランダム設定」には、ランダム再生を行わない旨を示す”ｏｆｆ”が指定されている。
そこで、楽曲再生処理部１３は、２番目に再生する情報として、格納位置情報Ｄが”０２”で示される記録媒体ＲＭに記録されている楽曲のうち、記録位置情報Ｔが”０５”から”０８”までのものを記録位置情報Ｔが増加する順に順次特定し、記録媒体ＲＭにアクセスして楽曲を再生する。
【０１３２】
次に、楽曲再生処理部１３は、図４（ｂ）に示すようなプログラム表７０の項目「再生順序」が”３”である欄に対応する格納位置情報Ｄと記録位置情報Ｔを読み取る。
【０１３３】
図４（ｂ）に示すプログラム表７０では、項目「再生順序」が”３”である欄に対応する格納位置情報Ｄとして番号”０３”が指定され、記録位置情報Ｔとして、項目「開始位置」に番号”１５”が、項目「終了位置」に番号”１３”がそれぞれ指定されている。また、項目「ランダム設定」には、ランダム再生回数”４”が指定されている。
【０１３４】
そこで、楽曲再生処理部１３は、格納位置情報Ｄが”０３”で示される記録媒体ＲＭに記録されている楽曲で、記録位置情報Ｔが”１３”から”１５”までのもののうちからランダムに４回選択したものが、３番目に再生する情報となることを特定し、順次記録媒体ＲＭにアクセスして楽曲を再生する。
これにより、項目「開始位置」に項目「終了位置」よりも大きな番号を示す記録位置情報Ｔを指定した場合にも、指定された複数の楽曲のうちから所定の回数だけランダムに選択したものを再生することができる。
【０１３５】
楽曲再生処理部１３は、図４（ｂ）に示すようなプログラム表７０の項目「再生順序」が”３”である欄に対応する楽曲の再生が終了すると、項目「再生順序」が”４”である欄に対応する格納位置情報Ｄと記録位置情報Ｔを読み取る。
【０１３６】
図４（ｂ）に示すプログラム表７０では、項目「再生順序」が”４”である欄に対応する格納位置情報Ｄとして番号”０４”が指定され、記録位置情報Ｔとして、項目「開始位置」に番号”１１”が、項目「終了位置」に番号”０９”がそれぞれ指定されている。また、項目「ランダム設定」には、ランダム再生を行わない旨を示す”ｏｆｆ”が指定されている。
そこで、楽曲再生処理部１３は、４番目に再生する情報として、格納位置情報Ｄが”０４”で示される記録媒体ＲＭに記録されている楽曲のうち、記録位置情報Ｔが”０９”から”１１”までのものを記録位置情報Ｔが減少する順に順次特定し、記録媒体ＲＭにアクセスして楽曲を再生する。
【０１３７】
次に、楽曲再生処理部１３は、図４（ｂ）に示すようプログラム表７０の項目「再生順序」が”５”である欄に対応する格納位置情報Ｄと記録位置情報Ｔを読み取る。
【０１３８】
図４（ｂ）に示すプログラム表７０では、項目「再生順序」が”５”である欄に対応する格納位置情報Ｄとして番号”０５”が指定され、記録位置情報Ｔとして、項目「開始位置」及び項目「終了位置」に同一の番号”１０”が指定されている。また、項目「ランダム設定」には、ランダム再生回数”２”が指定されている。
【０１３９】
楽曲再生処理部１３は、項目「開始順序」に指定されている記録位置情報Ｔと項目「終了位置」に指定されている記録位置情報Ｔとが同一であることから、この再生順番では１曲の楽曲だけを再生すると判別する。
【０１４０】
そこで、楽曲再生処理部１３は、項目「ランダム設定」にランダム再生回数”２”が指定されていることから、記録位置情報Ｔが”１０”である楽曲のみを２回繰り返し再生する。
これにより、１つの再生順番に対して１曲の楽曲のみを指定した場合には、ランダム再生回数を設定することにより指定された楽曲を繰り返し再生する１曲リピートを行うことができる。
【０１４１】
次に、楽曲再生処理部１３は、図４（ｂ）に示すようなプログラム表７０の項目「再生順序」が”６”である欄に対応する格納位置情報Ｄと記録位置情報Ｔを読み取る。
【０１４２】
図４（ｂ）に示すプログラム表７０では、項目「再生順序」が”６”である欄に対応する格納位置情報Ｄとして番号”０６”が指定され、記録位置情報Ｔとして、項目「開始位置」及び項目「終了位置」に同一の番号”１２”が指定されている。また、項目「ランダム設定」には、ランダム再生を行わない旨を示す”ｏｆｆ”が指定されている。
そこで、楽曲再生処理部１３は、６番目に再生する情報として、格納位置情報Ｄが”０６”で示される記録媒体ＲＭに記録されている楽曲のうち、記録位置情報Ｔが”１２”であるものを特定し、記録媒体ＲＭからその楽曲を再生する。
【０１４３】
楽曲再生処理部１３は、項目「ランダム設定」に”ｏｆｆ”が指定されていることから、ランダム再生は行わず、項目「再生順序」が”６”である欄に対応する楽曲の再生を終了する。
【０１４４】
次に、楽曲再生処理部１３は、図４（ｂ）に示すようなプログラム表７０の項目「再生順序」が”７”である欄に対応する格納位置情報Ｄと記録位置情報Ｔを読み取る。
【０１４５】
図４（ｂ）に示すプログラム表７０では、項目「再生順序」が”７”である欄に対応する格納位置情報Ｄとして番号”０７”が指定され、項目「開始位置」及び項目「終了位置」には”ＮＵＬＬ”が指定されている。また、項目「ランダム設定」には、ランダム再生回数”１”が指定されている。
【０１４６】
そこで、楽曲再生処理部１３は、格納位置情報Ｄが”０７”で示される記録媒体ＲＭに記録されている全ての楽曲からランダムに１回選択したものが、７番目に再生する情報となることを特定し、記録媒体ＲＭにアクセスして楽曲を再生する。
これにより、１つの再生順番において、格納位置情報Ｄにより特定される記録媒体ＲＭに記録されている全楽曲から、所定の回数だけランダムに選択したものを再生することができる。
【０１４７】
楽曲再生処理部１３は、図４（ｂ）に示すようなプログラム表７０の項目「再生順序」が”７”である欄に対応する楽曲の再生が終了すると、項目「再生順序」が”８”である欄に対応する格納位置情報Ｄと記録位置情報Ｔを読み取る。
【０１４８】
図４（ｂ）に示すプログラム表７０では、項目「再生順序」が”８”である欄に対応する格納位置情報Ｄとして番号”０８”が指定され、項目「開始位置」及び項目「終了位置」には”ＮＵＬＬ”が指定されている。また、項目「ランダム設定」には、ランダム再生を行わない旨を示す”ｏｆｆ”が指定されている。
そこで楽曲再生処理部１３は、８番目に再生する情報として、格納位置情報Ｄが”０８”で示される記録媒体ＲＭに記録されている全ての楽曲を、１曲目の楽曲から順次特定し、記録媒体ＲＭにアクセスして楽曲を再生する。
【０１４９】
楽曲再生処理部１３は、図４（ｂ）に示すようなプログラム表７０の項目「再生順序」が”８”である欄に対応する楽曲の再生が終了すると、項目「再生順序」が”９”である欄に対応する格納位置情報Ｄと記録位置情報Ｔを読み取る。
しかし、図４（ｂ）に示すプログラム表７０では、項目「再生順序」が”９”である欄に対応する格納位置情報Ｄ及び記録位置情報Ｔが指定されていないことから、楽曲再生処理部１３は、指定された楽曲を全て再生したとして、楽曲の再生を終了する。
【０１５０】
以上説明したように、項目「ランダム設定」を備えたプログラム表７０を用いて楽曲の再生順序を設定することにより、記録媒体ＲＭに記録されている複数の楽曲のうち所定の条件を満たすものからランダムに選択した楽曲を簡単な設定で再生することができる。また、これにより、記録媒体ＲＭに記録された情報をより柔軟に再生することができる。
【０１５１】
この発明は、楽曲の再生に限定されず、様々な情報の再生に応用可能である。例えば、映像情報を記録した記録媒体から映像を再生する際に、再生順序を指定して映像の再生を行う場合にも適用可能である。
【０１５２】
【発明の効果】
以上の説明のように、この発明は、１つの再生順番にて複数の連続する情報の再生を一括して指定したり、所定の情報を繰り返し再生する回数を指定したりすることができる。これにより、記録媒体に記録された情報の再生順序を簡単に設定することができる。
また、所定の条件を満たす情報のうちからランダムに選択した情報を再生することができる。これにより、記録媒体に記録された情報のより柔軟な再生を簡単な設定で行うことができる。
【図面の簡単な説明】
【図１】この発明の実施の形態に係る楽曲再生装置の構成を示す図である。
【図２】プログラム表の一例を示す図である。
【図３】プログラム表の一例を示す図である。
【図４】プログラム表の一例を示す図である。
【符号の説明】
１０    キー入力部
１１    表示部
１２    プログラム処理部
１３    楽曲再生処理部
２０    プログラム記憶部
５０，６０，７０    プログラム表
１００    楽曲再生装置
ＲＭ    記録媒体
Ｄ      格納位置情報
Ｔ      記録位置情報
【図１】
0003639474.tif 000002
【図２】
0003639474.tif 000003
【図３】
0003639474.tif 000004
【図４】
0003639474.tif 000005